(57)【要約】【課題】無線端末に関連するバックアップすべきデータの消失を未然に防ぐことができる無線通信システム、基地局装置、および無線端末を提供すること。【解決手段】基地局装置１０Ａは、自己と通信している無線端末２０に関する必要データを生成してメモリに保存すると共に、生成された必要データを無線端末２０に送信し、無線端末２０は、基地局装置１０Ｂに対する位置登録が行われたとき、基地局装置１０Ａから送信された必要データを基地局装置１０Ｂに送信し、基地局装置１０Ｂは、無線端末２０から送信された必要データをメモリに保存するように構成する。【選択図】図１
2011101199.tif 000002
【特許請求の範囲】
【請求項１】
無線端末、第１の基地局装置、および第２の基地局装置を有する無線通信システムにおいて、
前記第１の基地局装置は、自己と通信している無線端末に関する必要データを生成してメモリに保存すると共に、生成された必要データを前記無線端末に送信し、
前記無線端末は、前記第２の基地局装置に対する位置登録が行われたとき、前記第１の基地局装置から送信された必要データを前記第２の基地局装置に送信し、
前記第２の基地局装置は、前記無線端末から送信された必要データをメモリに保存することを特徴とする無線通信システム。
【請求項２】
前記第１または第２の基地局装置にメモリに保存されている必要データを取得するセンター装置を備え、
前記第１または第２の基地局装置は、メモリに保存されている必要データを消去することを特徴とする請求項１に記載の無線通信システム。
【請求項３】
前記無線端末は、前記必要データを前記第２の基地局装置に送信したとき、送信した必要データを消去することを特徴とする請求項１に記載の無線通信システム。
【請求項４】
自己と通信している無線端末に関する必要データを生成する端末処理部と、
前記データ生成部によって生成された必要データを保存するメモリと、
前記メモリに保存された必要データを前記無線端末に送信する無線通信部とを備えたことを特徴とする基地局装置。
【請求項５】
第１の基地局装置および第２の基地局装置と通信可能な無線端末において、
前記第１の基地局装置と通信している際に生成された必要データを受信する無線通信部と、
前記必要データを保存するメモリと、
前記第２の基地局装置に対する位置登録が行われたとき、前記メモリに保存された必要データを前記第２の基地局装置に送信するよう制御する制御部とを備えたことを特徴とする無線端末。
【発明の詳細な説明】
【技術分野】
【０００１】
本発明は、無線通信を行う無線通信システム、基地局装置、および無線端末に関する。
【背景技術】
【０００２】
従来の無線通信システムとしては、基地局装置が、在圏するＰＨＳ端末から発呼された呼のサービスに関する通知情報を生成する通知情報生成手段と、通知情報をデータベースに送信する通知情報送信手段とを備え、データベースは、通知情報をファイルに保存するファイル保存手段とを備えたものが知られている（例えば、特許文献１参照）。なお、通知情報は、課金やトラヒックのデータの基になる情報である。
【０００３】
また、上述した通知情報は、図７に示すように基地局装置９内の揮発性メモリ８（例えばＳＲＡＭ）等に保存されており、基地局装置９は、非常用のバックアップ電源７を有し、基地局装置９への供給電源の断による揮発性メモリ８に保存されているデータの破壊を防いでいる。
【先行技術文献】
【特許文献】
【０００４】
【特許文献１】特開２００１−２８５９２１号公報
【発明の概要】
【発明が解決しようとする課題】
【０００５】
しかしながら、バックアップ電源の低下や故障があった際に、基地局装置に供給される電源に断や瞬断があった場合、または、揮発性メモリ自体に問題があった場合にデータが破壊される可能性がある。
【０００６】
そこで、本発明は、無線端末に関連するバックアップすべきデータの消失を未然に防ぐことができる無線通信システム、基地局装置、および無線端末を提供することを目的とする。
【課題を解決するための手段】
【０００７】
本発明の無線通信システムは、無線端末、第１の基地局装置、および第２の基地局装置を有する無線通信システムにおいて、前記第１の基地局装置は、自己と通信している無線端末に関する必要データを生成してメモリに保存すると共に、生成された必要データを前記無線端末に送信し、前記無線端末は、前記第２の基地局装置に対する位置登録が行われたとき、前記第１の基地局装置から送信された必要データを前記第２の基地局装置に送信し、前記第２の基地局装置は、前記無線端末から送信された必要データをメモリに保存する構成を有している。
【０００８】
この構成により、他の基地局装置の間で必要データが転送されるため、無線端末に関連するバックアップすべきデータの消失を未然に防ぐことができる。
【０００９】
また、本発明の無線通信システムは、前記第１または第２の基地局装置にメモリに保存されている必要データを取得するセンター装置を備え、前記第１または第２の基地局装置は、メモリに保存されている必要データを消去する構成を有している。
【００１０】
この構成により、基地局装置のメモリのデータ容量を節約できる。
【００１１】
また、本発明の無線通信システムは、前記無線端末が、前記必要データを前記第２の基地局装置に送信したとき、送信した必要データを消去する構成を有している。
【００１２】
この構成により、無線端末のメモリのデータ容量を節約できる。
【００１３】
本発明の基地局装置は、自己と通信している無線端末に関する必要データを生成する端末処理部と、前記データ生成部によって生成された必要データを保存するメモリと、前記メモリに保存された必要データを前記無線端末に送信する無線通信部とを備えた構成を有している。
【００１４】
本発明の無線端末は、第１の基地局装置および第２の基地局装置と通信可能な無線端末において、前記第１の基地局装置と通信している際に生成された必要データを受信する無線通信部と、前記必要データを保存するメモリと、前記第２の基地局装置に対する位置登録が行われたとき、前記メモリに保存された必要データを前記第２の基地局装置に送信するよう制御する制御部とを備えた構成を有している。
【発明の効果】
【００１５】
本発明は、無線端末に関連するバックアップすべきデータの消失を未然に防ぐことができる無線通信システム、基地局装置、および無線端末を提供するものである。
【図面の簡単な説明】
【００１６】
【図１】本発明の実施形態に係るデータ管理システムの全体概略構成図である。
【図２】本発明の実施の形態に係る基地局装置の構成図である。
【図３】本発明の実施の形態に係る無線端末の構成図である。
【図４】本発明の実施形態に係る無線通信システムの動作について説明する図である。
【図５】本発明の実施形態に係る基地局装置から無線端末に送信される必要データの構成の図である。
【図６】本発明の実施形態に係る無線端末から基地局装置に送信される必要データの構成の図である。
【図７】従来の基地局装置の構成図である。
【発明を実施するための形態】
【００１７】
以下、本発明の実施の形態について、図面を参照して説明する。図１は、本発明の実施形態に係る無線通信システムの全体概略構成図である。
【００１８】
図１に示すデータ管理システムは、基地局装置１０Ａ、基地局装置１０Ｂ、基地局装置１０Ｃ、センター装置３０、および無線端末２０を有している。基地局装置１０を区別して説明する場合には、基地局装置１０Ａ、基地局装置１０Ｂ、基地局装置１０Ｃと記載することにする。図１では、基地局装置１０を３つしか示していないが、３つに限定しているわけではない。また、基地局装置１０と無線端末２０との無線通信においては、ＬＴＥ、ＷｉＭＡＸ、ＸＧＰ、またはＰＨＳなどに準拠しても良い。基地局装置１０とセンター装置３０は、専用線などで接続されている。
【００１９】
（基地局装置の構成）
次に、本発明の実施の形態に係る基地局装置の構成について説明する。図２は、本発明の実施の形態に係る基地局装置の構成図である。図２に示すように、基地局装置１０は、無線通信部１１、メモリ１３、制御部１４、およびネットワークインタフェース１５を含む。
【００２０】
無線通信部１１は、無線周波数の信号を処理するＲＦ回路等、ベースバンド信号処理部およびアンテナを含み、変調及び復調、データの符号化、及び復号化等を行い、無線端末２０との間で無線信号の送信及び受信を行う。
【００２１】
メモリ１３は、例えばＳＲＡＭによって構成され、無線端末２０に関する必要データ（無線端末２０の課金情報やサービス情報など）、および、基地局装置１０における制御などに用いられる各種情報を記憶する。
【００２２】
ネットワークインタフェース１５は、インターネット、専用線、または電話網との通信を行うものである。また、ネットワークインタフェース１５は、基地局装置１０やセンター装置３０、または通信端末と通信することが可能である。
【００２３】
制御部１４は、例えばＣＰＵによって構成され、端末処理部１７およびセンター処理部１６を含む。端末処理部１７およびセンター処理部１６は、例えば、制御部１４で実行されるプログラムのモジュールである。また、このような部材は電子回路などでもよい。
【００２４】
端末処理部１７は、無線端末２０に関する必要データを生成してメモリ１３に保存すると共に、生成された必要データを無線端末２０に無線通信部１１を介して送信するようになっている。例えば、端末処理部１７は、無線端末２０との間で発呼または着呼などの呼処理を行ったとき、無線端末２０に関する必要データ（課金情報やサービス情報など）を生成する。
【００２５】
また、端末処理部１７は、無線端末２０から必要データが送信されたとき、その必要データをメモリ１３に保存するようになっている。
【００２６】
センター処理部１６は、センター装置３０から基地局装置１０に必要データの要求があったとき、保存してある必要データをセンター装置３０に送信するようになっている。また、センター処理部１６は、一定時間が経過した毎に、または、メモリ１３が一定のデータ量になったところで、必要データをセンター装置３０に送信するようにしてもよい。さらに、必要データがセンター装置３０に送信された際、センター処理部１６は、メモリ１３に保存されている必要データを消去するようになっている。
【００２７】
（無線端末の構成）
次に、本発明の実施の形態に係る無線端末の構成について説明する。図３は、本発明の実施の形態に係る無線端末の構成図である。図３に示すように、無線端末２０は、無線通信部２１、メモリ２３、および制御部２４を含む。
【００２８】
無線通信部２１は、無線周波数の信号を処理するＲＦ回路等、ベースバンド信号処理部およびアンテナを含み、変調及び復調を行い、基地局装置１０との間で、無線信号の送信及び受信を行う。
【００２９】
メモリ２３は、必要データ、および、無線端末２０における制御などに用いられる各種情報を記憶する。制御部２４は、例えばＣＰＵによって構成され、無線端末が具備する各種機能を制御する。
【００３０】
制御部２４は、基地局装置１０から送信された必要データをメモリ２３に保存するようになっている。また、基地局装置１０に対して無線端末２０の位置登録が行われたとき、制御部２４は、保存してある必要データを、位置登録した基地局装置１０に送信するようになっている。
【００３１】
（センター装置）
センター装置３０は、データベースの機能を有する。センター装置３０は、一定時間毎に、基地局装置１０に対して必要データを要求して基地局装置１０から取得するようになっている。センター装置３０は、取得した必要データを管理するものである。なお、センター装置３０の構成については割愛する。
【００３２】
図４は、本発明の実施形態に係る無線通信システムの動作について説明する図である。
【００３３】
まず、基地局装置１０Ａと無線端末２０とが通信中になっており、基地局装置１０Ａの端末処理部１７は、無線端末２０に関する必要データＡを生成してメモリ１３に保存すると共に、生成された必要データＡを無線端末２０に送信する（Ｓ１）。なお、新たな必要データが生成された場合、端末処理部１７は、新たな必要データを無線端末２０に送信するようにしてもよい。
【００３４】
無線端末２０は、基地局装置１０Ａから送信された必要データＡを受信し、受信した必要データＡをメモリ２３に保存する（Ｓ２）。
【００３５】
ここで、基地局装置１０から無線端末２０に送信される必要データの構成を図５に示す。図５には、必要データとして、課金情報、サービス情報、および、日付時間情報が示されている。また、基地局の個々を示す基地局ＮＯが付加されている。
【００３６】
無線端末２０は、移動するなどして基地局装置１０Ｂにハンドオーバした際、基地局装置１０Ｂの端末処理部１７は、無線端末２０に関する必要データＢを生成してメモリ１３に保存すると共に、生成された必要データＢを無線端末２０に送信する（Ｓ３）。
【００３７】
無線端末２０は、基地局装置１０Ｂから送信された必要データＢを受信し、受信した必要データＢをメモリ２３に保存する（Ｓ４）。このとき、メモリ２３に保存されたものは、必要データＡおよび必要データＢである。
【００３８】
基地局装置１０Ｂに対する位置登録が行われたとき、無線端末２０は、メモリ２３に保存された必要データＡを、位置登録した基地局装置１０Ｂに送信する（Ｓ５）と共に、必要データＡを消去する。
【００３９】
ここで、無線端末２０から基地局装置１０に送信される必要データの構成を図６に示す。図６には、必要データとして、課金情報、サービス情報、および、日付時間情報が示されている。また、基地局装置１０の個々を示す基地局ＮＯおよび無線端末２０の個々を示す端末ＮＯが付加されている。これらの情報は、センター装置３０が管理することになるが、端末ＮＯや基地局ＮＯは、センター装置３０において情報の重複を防止するためのものである。
【００４０】
基地局装置１０Ｂは、無線端末２０から送信された必要データＡを受信し、受信した必要データＡをメモリ１３に保存する（Ｓ６）。ここで、センター装置３０から基地局装置１０Ｂに必要データの要求があった場合、基地局装置１０Ｂのセンター処理部１６は、保存してある必要データＡおよび必要データＢをセンター装置３０に送信する（Ｓ７）。このとき、センター処理部１６は、保存されていた必要データの送信後、保存されていた必要データを消去する。
【００４１】
この後、無線端末２０は、基地局装置１０Ｃにハンドオーバした際、基地局装置１０Ｃの端末処理部１７は、無線端末２０に関する必要データＣを生成してメモリ１３に保存すると共に、生成された必要データＣを無線端末２０に送信する（Ｓ８）。
【００４２】
無線端末２０は、基地局装置１０Ｃから送信された必要データＣを受信し、受信した必要データＣをメモリ２３に保存する（Ｓ９）。このとき、メモリ２３に保存されたものは、必要データＢおよび必要データＣである。
【００４３】
基地局装置１０Ｃに対する位置登録が行われたとき、無線端末２０は、メモリ２３に保存された必要データＢを、位置登録した基地局装置１０Ｃに送信する（Ｓ１０）と共に、必要データＢを消去する。基地局装置１０Ｃは、無線端末２０から送信された必要データＢを受信し、受信した必要データＢをメモリ１３に保存する（Ｓ１１）。
【００４４】
なお、Ｓ５で基地局装置１０Ｂのメモリ２３が故障していたときには、無線端末２０は、必要データＡおよび必要データＢを保存しておき、Ｓ１０で、メモリ２３に保存された必要データＡおよび必要データＢを、位置登録した基地局装置１０Ｃに送信する。
【００４５】
また、無線端末２０のメモリ２３内の必要データについては、暗号化されたものであり、かつ、誤り検出がなされ正常性を保ったものである。
【００４６】
以上説明したように、本発明の実施の形態に係る無線通信システムは、基地局装置１０Ｂ（基地局装置１０Ｃ）に対する位置登録が行われたとき、無線端末２０が、基地局装置１０Ａ（基地局装置１０Ｂ）から送信された必要データを基地局装置１０Ｂ（基地局装置１０Ｃ）に送信し、基地局装置１０Ｂ（基地局装置１０Ｃ）は、無線端末２０から送信された必要データをメモリ２３に保存するため、バックアップすべき必要データの消失を未然に防ぐことができる。例えば、Ｓ１の後で基地局装置１０Ａのメモリ２３が故障したとしても、Ｓ５で必要データＡが、基地局装置１０Ｂに転送されるので紛失することはない。
【符号の説明】
【００４７】
７  バックアップ電源
８  揮発性メモリ
９  基地局装置
１０  基地局装置
１１  無線通信部
１３  メモリ
１４  制御部
１５  ネットワークインタフェース
１６  センター処理部
１７  端末処理部
２０  無線端末
２１  無線通信部
２３  メモリ
２４  制御部
３０  センター装置
【図１】
2011101199.tif 000003
【図２】
2011101199.tif 000004
【図３】
2011101199.tif 000005
【図４】
2011101199.tif 000006
【図５】
2011101199.tif 000007
【図６】
2011101199.tif 000008
【図７】
2011101199.tif 000009